(57)【要約】【課題】  包装袋を開封することにより包装袋に充填物が充填された状態で電子レンジにより加熱調理することができ、加熱調理後、喫食用容器として使い勝手のよい位置で容易に引き裂き切断することができる喫食用容器を兼ねた包装袋を提供することにある。【解決手段】  左側端シール部、右側端シール部、上端シール部、下端シール部を備え、充填される食品を自立状態で加熱することができる喫食用容器を兼ねる包装袋であって、前記包装袋が少なくとも基材層と熱接着性樹脂層とを備え、包装袋の左右方向に直線開封性を有する積層体で形成され、上端シール部の内側縁部より下端シール部の内側縁部に至る包装袋の左右方向中央の高さにおける上端シール部の内側縁部を基準とした高さ１／３の位置に至る第一開封予定領域と上端シール部の内側縁部を基準とした高さ１／３の位置より２／３の位置に至る第二開封予定領域とを有することを特徴とする包装袋である。【選択図】        図１
2014227190.tif 000002
【特許請求の範囲】
【請求項１】
左側端シール部、右側端シール部、上端シール部、下端シール部を備え、充填される食品を自立状態で加熱することができる喫食用容器を兼ねる包装袋であって、
前記包装袋が少なくとも基材層と熱接着性樹脂層とを備え、前記包装袋の左右方向に直線開封性を有する積層体で形成され、
上端シール部の内側縁部より下端シール部の内側縁部に至る前記包装袋の左右方向中央の高さにおける上端シール部の内側縁部を基準とした高さ１／３の位置に至る第一開封予定領域と
上端シール部の内側縁部を基準とした高さ１／３の位置より２／３の位置に至る第二開封予定領域とを有することを特徴とする包装袋。
【請求項２】
左側端シール部又は右側端シール部の少なくとも一方の前記第一開封予定領域および第二開封予定領域に対応する位置に開封開始手段を有することを特徴とする請求項１に記載の包装袋。
【請求項３】
左右側端シール部に内側に膨出した膨出シール部を備え、第二開封予定領域が膨出シール部を外した位置にあることを特徴とする請求項１又は２に記載の包装袋。
【発明の詳細な説明】
【技術分野】
【０００１】
本発明は、喫食用容器を兼ねた包装袋、詳しくは、充填物が包装袋に入った状態で電子レンジ等により加熱調理することができ、加熱調理後、上記包装袋を充填物の表面より上の位置で切り取り易くし、調理された充填物を、他の食器等に移し替えることなく、食器として使用可能な喫食容器を兼ねた包装袋に関する。
【背景技術】
【０００２】
従来、平袋、ピロー袋、自立袋等の包装袋に充填された調理済み冷凍食品、チルド食品等の充填物を包装袋から取り出すことなく包装袋を調理器具代わりにして、包装袋のままで電子レンジ等で加熱調理し、調理後、充填物を食器等に移して喫食することが一般的に行われている。この包装袋は、加熱直前に電子レンジの中での破裂を防止するために包装袋の一部を開封する必要があるが、近年、自動的に水蒸気を逃がす通気孔が形成されるようにしたものが多用されている。平袋としては、上部の外シール部から下方に横部の外シール部に略平行に縦状の、パウチ上部を切り取るための切り取り線と交差する内シール部を形成し、内シール部内に縦状に切り込み線を設け、内シール部内の切り込み線が通気孔の役目を果たす電子レンジ用パウチが知られている（例えば、特許文献１参照）。ピロー袋としては、背シール部が、高温によって熱溶着された強い接着性を有する高接着部分と、電子レンジにて食品を加熱した際の水蒸気圧によって開封されるように低い温度で熱溶着された接着性の弱い低接着部分とを有し、低接着部分が電子レンジで加熱する際に、通気孔となる電子レンジ加熱用食品の収容袋が知られている（例えば、特許文献２参照）。自立袋としては、上辺と下辺と背側に熱接着部を有し、左右両側にガセット部を有するガセットタイプの袋であって、上辺の熱接着部に連接して蒸気抜き手段が形成され、かつ、左右両側のガセット部が開くことにより自立可能な形態の包装袋が知られている（例えば、特許文献３参照）。
【０００３】
ピロー袋や平袋に比べ、自立袋は自立させた状態で電子レンジで加熱調理できるので、充填物が液状物を含む食品の場合、電子レンジで加熱中に液体が漏れることがなく便利な形態である。しかし、いずれの形態の袋であっても包装袋のまま電子レンジで加熱調理後、充填物を食器に移し替えて食卓に供するものであり、食器への盛りつけや食後の食器洗いの手間がかかり面倒であるという問題がある。
【先行技術文献】
【特許文献】
【０００４】
【特許文献１】特開２００１−３２８６５１号公報
【特許文献２】特開平９−１４２５４１号公報
【特許文献３】特開２００５−３０６４２６号公報
【発明の概要】
【発明が解決しようとする課題】
【０００５】
そこで本発明は、上記問題を解決すべくなされたものであり、その目的とするところは包装袋を開封することにより包装袋に充填物が充填された状態で電子レンジにより加熱調理することができ、加熱調理後、喫食用容器として使い勝手のよい位置で容易に引き裂き切断することができる喫食用容器を兼ねた包装袋を提供することにある。
【課題を解決するための手段】
【０００６】
本発明は、上記課題を達成するために、請求項１記載の本発明は、左側端シール部、右側端シール部、上端シール部、下端シール部を備え、充填される食品を自立状態で加熱することができる喫食用容器を兼ねる包装袋であって、前記包装袋が少なくとも基材層と熱接着性樹脂層とを備え、前記包装袋の左右方向に直線開封性を有する積層体で形成され、上端シール部の内側縁部より下端シール部の内側縁部に至る前記包装袋の左右方向中央の高さにおける上端シール部の内側縁部を基準とした高さ１／３の位置に至る第一開封予定領域と上端シール部の内側縁部を基準とした高さ１／３の位置より２／３の位置に至る第二開封予定領域とを有することを特徴とする包装袋である。
【０００７】
また、請求項２に記載の本発明は、請求項１に記載の包装袋において、左側端シール部又は右側端シール部の少なくとも一方の前記第一開封予定領域および第二開封予定領域に対応する位置に開封開始手段を有することを特徴とするものである。
【０００８】
また、請求項３に記載の本発明は、左右側端シール部に内側に膨出した膨出シール部を備え、第二開封予定領域が膨出シール部を外した位置にあることを特徴とするものである。
【発明の効果】
【０００９】
本発明の包装袋によれば、固体と粉末の充填物、例えば、粉末食品（スープの素など）と乾燥食品（パスタ、即席麺、膨化米飯など）の組合せ等の充填物の場合、水または熱水を包装袋内に注入して加熱調理することになるが、このような充填物であっても自立状態で電子レンジ等により加熱調理することができるので加熱調理時に包装袋の開口部より液体等が吹き零れることがなく、電子レンジ内を汚染することがない。
また少なくとも基材層と熱接着性樹脂層とを備え、包装袋の左右方向に直線開封性を有する積層体で包装袋が形成されているので、包装袋を第一開封予定領域および第二開封予定領域で容易に直線的に引き裂くことができる。さらに、第二開封予定領域を有しているので加熱調理後、第二開封予定領域内の使い勝手のよい位置で包装袋を直線的に引き裂き切断できるので包装袋を喫食用容器に兼用できる。
【００１０】
また、請求項２に記載の本発明は、左側端シール部又は右側端シール部の少なくとも一方の前記第一開封予定領域および第二開封予定領域に対応する位置に開封開始手段を有する構成とすることにより、開封開始がスムーズになり、開封開始手段を起点として左右方向に包装袋を容易に引き裂いて開封することができる。
【００１１】
また、請求項３に記載の本発明は、左右側端シール部に内側に膨出した膨出シール部を備える構成とすることにより、加熱調理後、膨出シール部を指で摘んで電子レンジより取り出すことができ、加熱された充填物の熱が手に伝わり難いので火傷する恐れがない。また、熱さに驚いて包装袋を放して落下させることがないので安心である。
【図面の簡単な説明】
【００１２】
【図１】本発明に係る包装袋の一実施形態を示す正面図である。
【図２】本発明に係る包装袋の積層体の構成例を示す断面図である。
【発明を実施するための形態】
【００１３】
上記の本発明について、図面等を用いて以下に詳述する。
図１は本発明に係る包装袋の一実施形態を示す正面図、図２は本発明に係る包装袋の積層体の構成例を示す断面図であり、図中の１は包装袋、２は左側端シール部、３は右側端シール部、４は上端シール部、５は下端シール部、６は第一開封予定領域、６ａはノッチ、７は第二開封予定領域、７’は第二開封予定領域の上部領域、７’’は第二開封予定領域の下部領域、７ａはノッチ、８は膨出シール部、８ａ、８ｂは基部、２０は積層体、２１は基材層、２２は印刷層、２３は中間層、２４は熱接着性樹脂層、Ｓは胴材、Ｂは底材、ｗは包装袋の外寸幅、ｈは包装袋の外寸高さ、ｇは底材の折込幅、ｂ１は膨出シールの基部間の長さ、ｂ２は左右側端シール部の内側縁部より膨出する長さ、ｓは上端シール部、左側端シール部、右側端シール部のシール幅、ｌは上端シール部の内側縁部から下端シール部の内側縁部の包装袋１の左右方向の中央に至る長さ、ｈ１は上端シール部の内側縁部と第一開封予定領域のノッチの位置との間の長さ、ｈ２は上端シール部の内側縁部と第二開封予定領域のノッチの位置との間の長さをそれぞれ示す。
【００１４】
本発明の包装袋の一実施形態は、図１に示すように、包装袋１は、左側端シール部２、右側端シール部３、上端シール部４、下端シール部５を備え、充填物である食品が自立状態で電子レンジ等により加熱調理ができる喫食用容器を兼ねるものである。
【００１５】
包装袋１は、前面および背面の２枚の矩形状の積層体からなる胴材Ｓと１枚の底材Ｂで構成され、２枚の胴材Ｓを対向して配置し、下端部に内側に折り込んだ底材Ｂを挿入し周縁を熱接着し、左側端シール部２、右側端シール部３、上端シール部４、下端シール部５を設けたものであり、包装袋１に充填物を充填し自立状態としたとき、前面および背面の２枚の胴材Ｓが胴部を形成し、底材Ｂが底部を形成し、舟形状に熱接着され形成された下端シール部５が胴部と底部を共有する構成であり、底部に折り込まれた底材Ｂが拡がり自立状態が保持されるツーピースタイプ（胴材と底材が分離されており２パーツとなっている）のスタンディングパウチと呼ばれるものである。上端シール部４は充填物を充填する前は未シールで開口した状態であり、包装袋１に内容物を充填した後、熱接着して密封される。また、包装袋１の形態は、自立状態が保持できれば図１に示す包装袋に限定されるものではなく、１枚の積層体で胴部、底部を形成するワンピースタイプ（胴材と底材が連続しており１パーツとなっている）のスタンディングパウチやガセット袋等でもよい。
【００１６】
包装袋１は、図１に示すように、上端シール部４の内側縁部より下端シール部５の内側縁部に至る包装袋１の左右方向中央の高さにおける上端シール部４の内側縁部を基準とした高さ１／３の位置に至る第一開封予定領域６と、上端シール部４の内側縁部を基準とした高さ１／３の位置より２／３の位置に至る第二開封予定領域７とを有している。第一開封予定領域６に対応する位置の左側端シール部２、右側端シール部３に開封開始手段としてノッチ６ａが施されている。後述するが積層体が包装袋１の左右方向に直線開封性を有しているのでノッチ６ａを施さなくても開封できるが、開封開始がスムーズで容易に開封できるので開封開始手段を施す方が好ましい。また、施す位置は、上端シール部４の内側縁部の近傍が好ましい。ノッチ６ａは、固体と粉末の充填物、例えば、粉末食品（スープの素など）と乾燥食品（パスタ、即席麺、膨化米飯など）の組合せ等の充填物の場合、小袋に封入された粉末食品が充填物とされている場合には取り出したり、あるいは加熱調理する前に取り出した小袋の粉末食品と、水または熱水を包装袋１内に注入するために包装袋１を開封するきっかけとなるものである。また、小袋が充填物とならずに包装袋１とは別添される場合もある。
本発明において、上端シール部の内側縁部を基準とした高さを比率で示す場合、上端シール部４の内側縁部から下端シール部５の内側縁部の包装袋１の左右方向の中央に至る長さｌに対する上端シール部の内側縁部を基準とした任意の位置の長さの比率を示すものとする。したがって、第一開封予定領域６の上下方向の長さはｌ／３であり、第二開封予定領域７の上下方向の長さもｌ／３で表せる。
【００１７】
第二開封予定領域７には、左右側端シール部２、３に内側に膨出した膨出シール部８をそれぞれ備えている。膨出シール部８の上側基部８ａと第二開封予定領域７の上限との間の第二開封予定領域７に対応する位置の左右側端シール部２、３に開封開始手段としてノッチ７ａが施されている。もちろん、後述するが積層体が包装袋１の左右方向に直線開封性を有しているのでノッチ７ａを設けなくても開封できるが、開封開始がスムーズで容易に開封できるので開封開始手段を施す方が好ましい。左側端シール部又は右側端シール部の少なくとも一方の第二開封予定領域７に対応する位置に開封開始手段を有しているが、第二開封予定領域７の中でも、膨出シール部８の上側基部８ａを通る包装袋１の左右方向の直線と第二開封予定領域７の上限とで囲まれた上部領域７’または膨出シール部８の下側基部８ｂを通る包装袋１の左右方向の直線と第二開封予定領域７の下限とで囲まれた領域７’’に対応する位置に設ける方がより好ましく、上部領域７’に設ける方がさらに好ましい。さらに上部領域７’において膨出シール部８の上側基部８ａを通過する包装袋１の左右方向の直線との交点の近傍に設ける方がより一層好ましい。なぜなら、上部領域７’に対応する領域に開封開始手段としてのノッチ７ａを設けると一方の手指で膨出シール部８を摘み、他方の手指で加熱された内容物より遠い位置となる左右側端シール部２、３のいずれかを摘み開封できるので火傷する危険性が少なく安心して積層体を引き裂くことができる。つまり、第二開封予定領域７は膨出シール部８を外した位置、すなわち、上部領域７’又は下部領域７’’であることが好ましく、上部領域７’である方がより好ましい。
【００１８】
ノッチ７ａは、加熱調理後、包装袋１を左右方向に直線的に切断するきっかけとして包装袋１をそのまま食器として使用できる作用を有している。
以上、開封開始手段としてノッチ６ａ、７ａは左側端シール部２又は右側端シール部３の少なくとも一方に有しておればよい。図１には開封開始手段としてＶノッチの例を示したが、ノッチの形状はこれ以外にＵ形、Ｉ形、又はＵＶ（亀甲）形の形状でもよい。また、ノッチ以外に開封開始手段としてマジックカット（商標登録）や傷痕群等を部分的あるいは連続して形成し任意の位置で引き裂き開始ができるものでもよい。但し、この場合、印刷等により開封位置を明示することが肝要である。
【００１９】
包装袋１の使用方法は、電子レンジや熱水注入等による加熱調理に先立ち、上方のノッチ６ａを開封開始起点として積層体を切断して、包装袋１の上方の一部又はすべてを開封する。その後、包装袋１内の充填物を電子レンジや熱水注入等によって所定時間加熱調理する。なお、包装袋１内の充填物がさらに内袋等で包装されている場合、あるいは、包装袋１内の充填物に混合する内容物が別袋で添付されている場合には、それぞれの内容物の包装を取り除いてから包装袋１内に投入する。
【００２０】
加熱調理完了後、一方の手指で膨出シール部８を摘み、他方の手指で一方の手指で摘んだ膨出シール部８の近傍のノッチ７ａの上部の左右側端シール部２、３のいずれかを摘み、当該包装袋１を左右方向に直線的に切断して、適切な深さになった当該包装袋１を食器として使用して、電子レンジや熱水注入等で加熱調理された充填物を喫食する。他方の手指で摘む左右側端シール部２、３のいずれかは加熱調理された内容物より遠い位置となり火傷する危険性が少ないので安心して積層体を引き裂くことができる。
【００２１】
次に本発明に係る包装袋１に使用する積層体について図２を参照しながら説明する。
図２に示すように包装袋１に使用する積層体２０は、例えば、基材層２１、中間層２３、熱接着性樹脂層２４が順に積層されている。基材層２１の中間層２３に積層される面には印刷層２２が形成されている。基材層２１、中間層２３又は熱接着性樹脂層２４のうち、少なくとも１層以上が直線開封性を有している。
【００２２】
積層体２０の基材層２１としては、包装袋１を構成する基本素材となることから、機械的、物理的、化学的等に優れた性質を有する合成樹脂製フィルムを用いることができ、ポリプロピレン、ポリエチレンテレフタレート、ナイロン、ポリアクリロニトリル、ポリ塩化ビニリデン、ポリビニルアルコール、エチレン・ビニルアルコール共重合体等のフィルムや出発原料を植物由来とする例えばポリ乳酸系の二軸延伸フィルム等を用いることができる。あるいは、上記のフィルムにポリ塩化ビニリデン、ポリビニルアルコール等のガスバリア性樹脂組成物を塗布してガスバリア層を設けたもの、あるいは、酸化アルミニウム、酸化珪素、酸化インジウム、酸化錫、酸化ジルコニウム等の無機物を蒸着して蒸着層を設けたものを用いることができる。また、これらのフィルムとしては、一軸方向ないし二軸方向に延伸したフィルムが使用できる。直線開封性の観点から縦一軸方向延伸したフィルムが好ましい。また、基材層２１を構成するフィルムの厚さとしては、基本素材としての強度、剛性などについて必要最低限に保持され得る厚さであればよいのであって、コストなどを勘案して決めればよいが、通常、９〜５０μｍ程度である。直線開封性を有する基材を具体的に例示すると、東レ（株）製のトレファンＢＯ  ＹＴシリーズ、電気化学工業（株）製のカラリヤン、東京インキ（株）製のハイブロン、ノーブレン、出光ユニテック（株）製のユニアスロン、ユニチカ（株）製のエンブレムＮＣ、エンブレットＰＣが挙げられる。
【００２３】
また、中間層２３としては、剛性やガスバリアー性等が包装条件、輸送条件、内容物の保護機能条件により要求される場合に設けるものであり、上記基材層に用いられるフィルム、上記ガスバリア層又は蒸着層を設けた上記フィルム等が使用できる。また、これらのフィルム等を一種以上組み合わせて積層したものでもよい。
【００２４】
また、熱接着性樹脂層２４としては、熱により溶融して相互に溶着し得る熱接着性樹脂から形成された層であり、直線開封性を有しているフィルムが好ましい。例えば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−ブテン−プロピレン共重合体、エチレン−酢酸ビニル共重合体、アイオノマー、エチレン−アクリル酸共重合体、エチレン−メタアクリル酸共重合体、エチレン−アクリル酸エステル共重合体、エチレン−メタアクリル酸エステル共重合体、エチレン−プロピレンインパクトコポリマーとプロピレン−ブテンエラストマーまたはエチレン−ブテンエラストマーを含む樹脂組成物、エチレン−プロピレンインパクトコポリマーとプロピレン−ブテンエラストマーとエチレン−ブテンエラストマーを含む樹脂組成物、非晶性ポリエステル系等の樹脂を用いることができ、これらの樹脂に易引き裂き性を付与することにより熱接着性樹脂層２４とすることができる。
上記樹脂の中でエチレン−プロピレン共重合体、エチレン−ブテン−プロピレン共重合体、若しくはこれらの樹脂にエラストマーを含む樹脂組成物が好ましく、前記樹脂組成物に更にエチレン−プロピレンブロック共重合体を含めた樹脂組成物がより好ましい。また、易引き裂き性を付与する技術としては例えば、上記樹脂あるいは樹脂組成物を一軸方向に延伸し一軸延伸フィルムとする技法等が挙げられる。
上記基材層、中間層、熱接着性樹脂層を包装される内容物に対して要求される化学的保護機能（酸素透過度、水蒸気透過度等）や物理的保護機能（引張強度、ヒートシール強度、衝撃強度、突刺し強度、落下強度等）、輸送条件や経済性等を勘案し適宜、選択し積層すればよい。もちろん、中間層を省略して基材層と熱接着性樹脂層を積層した積層体も使用できる。
本発明は基材層２１、中間層２３又は熱接着性樹脂層２４のうち、少なくとも１層以上に直線開封性を付与することにより、積層体２０が直線開封性を有するので、例えば、積層体に傷等の手段により開封予定位置に弱化層を設ける従来技術とは異なり、傷等を設けないので積層体のバリア性の低下を招く恐れがなく、さらに製袋時に表裏積層体の弱化線の位置合わせズレが生じ開封し難くなる恐れもなく、開封開始がスムーズに、より確実に行える。
【００２５】
製袋方法としては、上記の積層体の熱接着性樹脂層面を対向させて折り重ね外周縁をヒートシールし、例えば、三方シール包装袋、四方シール包装袋、合掌貼り包装袋（ピロー包装袋）、ガセット包装袋、平底包装袋、角底包装袋、ワンピースタイプスタンディングパウチ等の形態の自立袋（図示せず）を製造する。あるいは二枚の積層体の内層面同士を重ね合わせ、その外周縁をヒートシールし、例えば、三方シール包装袋、四方シール包装袋、平底包装袋、角底包装袋、ツーピースタイプスタンディングパウチ等の形態の自立袋（図示せず）を製造する。上記ヒートシールの方法は公知のものであり、例えば、所定形状を備えた熱板ヒートシール、インパルスシール、高周波シール、超音波シール等が挙げられる。
【００２６】
以下に実施例を挙げて本発明についてさらに詳述する。但し、本発明は実施例に限定されるものではない。
【実施例】
【００２７】
〔実施例１〕
基材層２１として、厚さ１５μｍの直線引き裂き性を有する延伸ナイロンフィルム＜ユニチカ株式会社製、エンブレムＮＣ＞（ＯＮ）、熱接着性樹脂層２４として、厚さ３０μｍの無延伸ポリプロピレンフィルム（ＣＰＰ）を用い、２液硬化型ウレタン接着剤を用いてドライラミネーション法（ＤＬ）により積層し、ＯＮ／ＤＬ／ＣＰＰなる構成の積層体２０を得た。
【００２８】
上記積層体２０を胴材Ｓおよび底材Ｂに用いて、図１に示すように、例えば、包装袋の外寸が高さｈ＝１７０ｍｍ、幅ｗ＝１６０ｍｍ、底材Ｂの折込幅ｇ＝４５ｍｍのツーピースタイプスタンディングパウチである包装袋１を作製した。
ノッチ７ａは第二開封予定領域の上部領域７’内の膨出シール部８の上側基部８ａの上側近傍に設けた。包装袋１のその他の寸法および各部位の位置は以下の通りとした。
上端シール部のシール幅ｓ＝１０ｍｍ
左側端シール部のシール幅ｓ＝１０ｍｍ
右側端シール部のシール幅ｓ＝１０ｍｍ
上端シール部の内側縁部と下端シール部の内側縁部間の包装袋１の左右方向中央の長さｌ＝１５０ｍｍ
下端シール部：包装袋１の左右方向の中央部のシール幅が１０ｍｍ、左右側端のシール幅が４５ｍｍの舟形シール
第一開封予定領域のノッチ６ａの位置：上端シール部の内側縁部よりの長さｈ１＝５ｍｍ
第二開封予定領域のノッチ７ａの位置：上端シール部の内側縁部よりの長さｈ２＝５５ｍｍ
膨出シールの基部間の長さｂ１＝３０ｍｍ
左右側端シール部の内側縁部より膨出する長さｂ２＝１０ｍｍ
膨出部の上部基部の位置：上端シール部の内側縁部より６０ｍｍ
【００２９】
〔実施例２〕
基材層２１として、厚さ１２μｍの直線引き裂き性を有する延伸ポリエチレンテレフタレートフィルム＜ユニチカ株式会社製、エンブレットＰＣ＞（ＰＥＴ）、中間層２３として厚さ１５μｍの直線引き裂き性を有する延伸ナイロンフィルム＜ユニチカ株式会社製、エンブレムＮＣ＞（ＯＮ）、熱接着性樹脂層２４として、厚さ３０μｍの無延伸ポリプロピレンフィルム（ＣＰＰ）を用い、２液硬化型ウレタン接着剤を用いてドライラミネーション法（ＤＬ）により順に積層し、ＰＥＴ／ＤＬ／ＯＮ／ＤＬ／ＣＰＰなる構成の積層体２０を得た。その他は実施例１と同様にして包装袋１を作製した。
【００３０】
〔実施例３〕
基材層２１として、厚さ１２μｍの二軸延伸ポリエチレンテレフタレートフィルムの片面に酸化アルミニウムを蒸着した透明蒸着フィルム（ＶＭＰＥＴ）、中間層２３として厚さ１５μｍの二軸延伸ナイロンフィルム（ＯＮ）、熱接着性樹脂層２４として、オレフィン系樹脂組成物を熱溶融押出しすることによりシートに成形し、さらに縦一軸延伸することにより得られた厚さ６０μｍの縦一軸延伸フィルム（ＯＦ：延伸フィルム）を用い、透明蒸着フィルムの蒸着面と二軸延伸ナイロンフィルムの一方の面および二軸延伸ナイロンフィルムの他方の面と縦一軸延伸フィルムを順に２液硬化型ウレタン接着剤を用いてドライラミネーション法（ＤＬ）により積層し、ＶＭＰＥＴ／ＤＬ／ＯＮ／ＤＬ／ＯＦなる構成の積層体２０を得た。
【００３１】
上記で作製した実施例１〜３の包装袋１のそれぞれには、ペンネ５０ｇと小袋に封入された調味用粉末ソース１０ｇを未シールの上端シール部より充填し、上端シール部４で密封シールした。つぎに第一開封予定領域のノッチ６ａより積層体を引き裂き切断し、包装袋１を開封し、小袋を取り出し開封して、封入された調味用粉末ソースだけを包装袋の中へ再び戻し、さらに水５０ｇを包装袋内に注ぎ、包装袋内にはペンネと調味粉末ソースと水が混在する状態とした。ノッチ６ａより、左右方向に積層体を引き裂くと実施例１〜３のいずれの包装袋とも直線的に容易に引き裂くことができ、水の注入も簡単に行うことができた。その後、実施例１〜３の包装袋の各々について電子レンジ内に自立させて収納し、６００Ｗ出力で，５分間加熱した。そして、一方の手指で膨出シール部を摘み、他方の手指でノッチ７ａの近傍の上側を摘み引き裂いたところ、実施例１〜３のいずれの包装袋とも手指が熱すぎると感じることなく、容易に引き裂き切断できた。しかも直線的に引き裂くことができ、包装袋をそのまま食器として使用でき、内容物を食することができた。
【符号の説明】
【００３２】
１                            包装袋
２                            左側端シール部
３                            右側端シール部
４                            上端シール部
５                            下端シール部
６                            第一開封予定領域
６ａ                          ノッチ
７                            第二開封予定領域
７’                          第二開封予定領域の上部領域
７’’                        第二開封予定領域の下部領域
７ａ                          ノッチ
８                            膨出シール部
８ａ、８ｂ                    基部
２０                          積層体
２１                          基材層
２２                          印刷層
２３                          中間層
２４                          熱接着性樹脂層
Ｓ                            胴材
Ｂ                            底材
ｗ                            包装袋の外寸幅
ｈ                            包装袋の外寸高さ
ｇ                            底材の折込幅
ｂ１                          膨出シールの基部間の長さ
ｂ２                          左右側端シール部の内側縁部より膨出する長さ
ｓ                            上端シール部、左側端シール部、右側端シール部のシール幅
ｌ                            上端シール部の内側縁部と下端シール部の内側縁部間の包装袋の左右方向中央の長さ
ｈ１                          上端シール部の内側縁部と第一開封予定領域のノッチの位置との間の長さ
ｈ２                          上端シール部の内側縁部と第二開封予定領域のノッチの位置との間の長さ
【図１】
2014227190.tif 000003
【図２】
2014227190.tif 000004